(57)【特許請求の範囲】
【請求項１】
水平方向が壁面で囲まれる枠体、複数の上部透水孔が穿設されると共に前記枠体の上部に前記壁面と隙間なく配置される上部孔空板、及び複数の下部透水孔が穿設されると共に前記枠体の下部に前記壁面と隙間なく且つ前記上部孔空板と略平行に離間して配置される下部孔空板からなる水分配部と、前記上部孔空板に水を供給する散水管とを有することを特徴とする散水装置。
【請求項２】
前記上部孔空板と前記下部孔空板との離間距離が、０．３〜２．５mmであることを特徴とする請求項１記載の散水装置。
【請求項３】
前記水分配部における同一方向に対する前記上部透水孔のピッチと前記下部透水孔のピッチとが異なることを特徴とする請求項１又は２記載の散水装置。
【請求項４】
前記上部透水孔１個当りの面積が、前記下部透水孔１個当りの面積の１０〜９５％であることを特徴とする請求項１〜３のいずれか１項記載の散水装置。
【請求項５】
前記上部透水孔と前記下部透水孔との鉛直方向の孔の重なり部分の総面積が、前記上部孔空板又は前記下部孔空板のうち総孔面積の小さい方の孔空板の総孔面積の６７％以下であることを特徴とする請求項１〜４のいずれか１項記載の散水装置。
【請求項６】
斜行ハニカムを用いる気液接触装置の散水手段として用いることを特徴とする請求項１〜５のいずれか１項記載の散水装置。
【発明の詳細な説明】
【０００１】
【発明の属する技術分野】
本発明は、斜行ハニカム等の気液接触手段に水を供給する散水装置に関するものである。
【０００２】
【従来の技術】
従来より、冷却塔や気液接触塔等においては、気液接触板を多数並設した気液接触ユニットに散水管から散水して、水を気液接触板の表面に流す方法が知られている。
【０００３】
例えば、特開平８−２１９６８４号公報には、散水管から気液接触手段に散水する方法としては、散水管に複数の散水穴を設けて散水穴から吐出した棒状の水流が当たる位置に平面または曲面を有する面状体を設け、面状体で水流を膜状に広げた状態で充填材等の気液接触手段に流下させる冷却塔の散水装置が開示されている。また、散水管からの水流を無数の散水穴を有する目皿に当て、そこで水流を広げると共に無数の散水穴から水を流下させる方法等も知られている。
【０００４】
【発明が解決しようとする課題】
しかしながら、これらの装置や方法は、水の流下量の場所によるばらつきが大きく、気液接触手段へ水を均一に流下できないため、気液接触効率がよくなかった。
【０００５】
従って、本発明の目的は、気液接触手段等への水の流下を略均一にすることが可能な散水装置を提供することにある。
【０００６】
【課題を解決するための手段】
かかる実情において、本発明者は鋭意検討を行った結果、それぞれ複数の孔が穿設された上部孔空板及び下部孔空板からなる水分配部と、該水分配部に水を供給する散水管とを有する散水装置であれば、水分配部から流下される水の分布が略均一になることを見出し、本発明を完成するに至った。
【０００７】
すなわち、本発明は、水平方向が壁面で囲まれる枠体、複数の上部透水孔が穿設されると共に前記枠体の上部に前記壁面と隙間なく配置される上部孔空板、及び複数の下部透水孔が穿設されると共に前記枠体の下部に前記壁面と隙間なく且つ前記上部孔空板と略平行に離間して配置される下部孔空板からなる水分配部と、前記上部孔空板に水を供給する散水管とを有することを特徴とする散水装置を提供するものである。
【０００８】
【発明の実施の形態】
本発明の散水装置について図１〜図４を参照して説明する。図１は、本発明の散水装置の実施形態を模式的に示す斜視図であり、図２は水分配部の一部を切り欠いて模式的に示す斜視図であり、図３は水分配部の一部を拡大して模式的に示す斜視図であり、図４は水分配部の一部を上部孔空板側から見た模式的な平面図である。図中、２は散水装置、３０は水分配部、３１は上部透水孔、３２は上部孔空板、３３は下部透水孔、３４は下部孔空板、３５は滞留部、４０は散水管、５０は枠体、５１は枠体を構成する壁面である。
【０００９】
図１において、散水装置２は、水分配部３０とこの上方に配置される散水管４０とからなる。水分配部３０は、水平方向が壁面５１で囲まれた枠体５０と、壁面５１との間に隙間なく枠体５０に配置される上部孔空板３２と、上部孔空板３２の下方において壁面５１との間に隙間なく且つ上部孔空板３２と略平行に離間して枠体５０に配置される下部孔空板３４とからなる。
【００１０】
枠体５０は、上部孔空板３２から供給された水の全量を下部孔空板３４から排出するものである。枠体５０の材質としては、水を透過又は浸透しない材質のものが用いられ、例えば、ステンレス、アルミニウム、銅等が挙げられる。このうち、ステンレスは、水中に金属イオンが溶出し難いため好ましい。なお、枠体５０の形態としては特に限定されず、図１のように上下方向が開口し、且つ、壁面５１の配置が上方からみて矩形を形成するもの以外に、例えば、上下方向が開口し、且つ、壁面５１の配置が上方からみて円形を形成するものが挙げられる。また、枠体５０の上部は図１のように開放されたままでもよいが、埃等が散水装置内に入らないように、適宜、該開放部に蓋等を設けてもよい。
【００１１】
上部孔空板３２には、図２に示すように、複数の上部透水孔３１が穿設される。上部透水孔３１は、散水管４０から供給される供給水１７を下方に透過させるものである。上部透水孔３１の数は、上部孔空板３２の面積や供給される水量により異なるため特に限定されないが、上部透水孔３１の合計面積が同じ場合であれば、数の多いほうが水分配部から排出される水が分散し易いため好ましい。なお、本発明で用いられる上部透水孔３１の形状としては、図２に示すような円形に限定されず、他に例えば、楕円形や長円が挙げられる。このうち、楕円形であると、表面張力の影響を受け難く透水性がよいため好ましい。また、上部透水孔３１の形状は、円形等の形状を１種又は２種以上組み合わせて用いることができる。例えば、円形の上部透水孔３１が一定のピッチで一列に穿設されると共に、これに隣接して楕円形の上部透水孔３１が一定のピッチで一列に穿設されており、これらの列が交互に形成されるものであってもよい。
【００１２】
上部透水孔３１の大きさは、孔の形状が円形である場合の直径が、通常１〜５mm、好ましくは１〜３mmである。また、孔の形状が円形以外である場合は、同一面積の円形に換算したときの孔の直径が上記範囲になるようにすればよい。上部透水孔３１の大きさが１mm未満であると水が通過し難くなり、また５mmを越えると水の分散性が悪くなり易いため好ましくない。
【００１３】
上部透水孔３１の配列形態は特に限定されず、例えば、上部孔空板３２の長手方向や該長手方向と所定の角度を有する方向のうちの一方向又は二方向以上に一定のピッチで穿設されていてもよいし、ランダムに穿設されていてもよい。また、上部透水孔３１が二方向以上に一定のピッチで穿設される場合は、いわゆる格子状や千鳥状であってもよい。ここで、格子状とは図５（ａ）のように直近の４個の上部透水孔３１ａ、３１ｂ、３１ｄ、３１ｃが略正方形を形成するように少なくとも略直交する二方向に一定のピッチで穿設される態様を意味し、千鳥状とは図５（ｂ）のように直近の３個の上部透水孔３１ｅ、３１ｆ、３１ｇが略正三角形の頂点を形成するように少なくとも三方向に一定のピッチで穿設される態様を意味する。千鳥状であると、上部孔空板３２に均一に上部透水孔３１を穿設し易いため好ましい。
【００１４】
上部透水孔３１が少なくとも一方向に一定のピッチを有して穿設されている場合、最小のピッチ幅を有する方向のピッチの大きさは、通常１〜１０mm、好ましくは１．５〜５mmである。最小のピッチ幅を有する方向のピッチとは、例えば、図５（ａ）のように上部透水孔３１の配列形態が格子状である場合には、略正方形を形成する直近の４個の上部透水孔３１のうちの３１ａと３１ｂのように隣接する２個の上部透水孔３１で形成されるピッチを意味し、３１ａと３１ｄのように対角線方向にある２個の上部透水孔３１で形成されるピッチを含まない意味である。上部透水孔３１のピッチの大きさが該範囲内にあると、水の分散性が良いため好ましい。なお、上部透水孔３１のピッチの大きさが１０mmを越えると水の分散性が悪くなり易いため好ましくない。
【００１５】
上部孔空板３２の材質は、枠体５０と同様のものが用いられる。上部孔空板３２の厚さは、通常０．３〜３．０mm、好ましくは０．５〜２．０mmである。厚さが該範囲内にあると、加工し易いため好ましい。
【００１６】
上部孔空板３２は、壁面５１との間に隙間なく枠体５０に配置される。ここで、上部孔空板３２を隙間なく配置するとは、上部孔空板３２上に供給される水が上部透水孔３１のみを通過する状態にすることを意味する。このように上部孔空板３２を配置することにより、上部孔空板３２と下部孔空板３４との間の空間に水を滞留させる等の制御が可能になり、水分配部３０から排出される水の分散性を良好にすることができる。上部孔空板３２が、枠体５０に配置される態様としては、例えば、別部材として作製された上部孔空板３２と枠体５０とをパッキン等を介して圧着したり、接着したりする態様や、上部孔空板３２と枠体５０とを一体のものとして作製する態様が挙げられる。
【００１７】
下部孔空板３４は、上部孔空板３２と同様のものが用いられ、下部孔空板３４の材質や厚さ、下部透水孔３３の数、大きさや配列形態は、上部孔空板３２と同様である。また、下部孔空板３４が壁面５１との間に隙間なく枠体５０に配置される態様も上部孔空板３２と同様である。
【００１８】
上部孔空板３２と下部孔空板３４とは、略平行に離間して配置される。このため、水分配部３０には、図３に示すように、上部孔空板３２と下部孔空板３４との間の離間距離Ｌを高さとし、上部孔空板３２、下部孔空板３４及び枠体５０で囲まれる滞留部３５が形成される。本発明において離間距離Ｌは、通常０．１〜２．５mm、好ましくは０．５〜２．０mmである。離間距離Ｌが該範囲内にあると、水が滞留部３５の上部孔空板３２と下部孔空板３４とに接触するように滞留するため水分配部３０の下部透水孔３３から流下される水量を水分配部３０の全体において略均一にすることができ、水分配部３０から流下される水の分散性がよい。なお、離間距離Ｌが２．５mmを越えると水が均一に流下し難くなり、また０．１mm未満であると上部孔空板３２と下部孔空板３４との間を水が移動し難くなるためそれぞれ好ましくない。
【００１９】
水分配部３０は、水分配部３０における同一方向に対する上部透水孔３１のピッチと下部透水孔３３のピッチとが異なることが好ましい。ここで、水分配部３０における同一方向とは、上部孔空板３２面内における方向と下部孔空板３４面内における方向とが同一になる方向の意味である。このような方向としては、例えば、上部孔空板３２及び下部孔空板３４に共通する長手方向や、上部孔空板３２面内又は下部孔空板３４面内であって且つ該長手方向に対し６０度や９０度等の所定の角度を有する方向等が挙げられる。このように、上部透水孔３１のピッチと下部透水孔３３のピッチとが異なると、滞留部３５に水が十分に滞留して水分配部３０から流下される水の分散性がよくなるため好ましい。また、ピッチは、上部透水孔３１のピッチと下部透水孔３３のピッチとの全てのものが異なる必要はなく、少なくとも一方向のピッチが異なっていればよい。
【００２０】
水分配部３０は、上部透水孔３１の大きさが全て実質的に同一であると共に下部透水孔３３の大きさが全て実質的に同一である場合は、上部透水孔３１の１個当りの面積と下部透水孔３３の１個当りの面積とが異なると、水分配部３０から流下される水の分散性がよくなるため好ましい。また、上部透水孔３１の１個当りの面積は、下部透水孔３３の１個当りの面積の１０〜９５％、好ましくは２０〜５０％であると望ましい。このように、上部透水孔３１の１個当りの面積が下部透水孔３３の１個当りの面積よりも小さいと、水分配部３０から流下される水の分散性がよくなるため好ましい。
【００２１】
また、水分配部３０は、上部透水孔３１のピッチと下部透水孔３３のピッチとが異なると共に、上部透水孔３１の１個当りの面積が下部透水孔３３の１個当りの面積より上記範囲内を採るように小さいと、水分配部３０から流下される水の分散性がさらによくなるため好ましい。
【００２２】
本発明において、水分配部３０は、図３又は図４に示すように、水分配部３０を上部孔空板３２側から見たときの上部透水孔３１と下部透水孔３３との鉛直方向の孔の重なり部分３６を、上部透水孔３１及び下部透水孔３３それぞれの一部分に形成する。ここで、上部透水孔３１及び下部透水孔３３それぞれの一部分に形成するとは、鉛直方向の孔の重なり部分３６の全てが上部透水孔３１の全部又は下部透水孔３３の全部と完全に一致することがないように形成することを意味する。例えば、上部透水孔３１と下部透水孔３３とが全く同じ形態で穿設されている場合、上部孔空板３２と下部孔空板３４とを上部孔空板３２側又は下部孔空板３４側からみて上部透水孔３１と下部透水孔３３とが完全に重なるように配置した場合は、孔の重なり部分３６の全てが上部透水孔３１全部及び下部透水孔３３全部と完全に一致するため好ましくない。しかし、これらの上部孔空板３２と下部孔空板３４とをずらして配置した場合は、孔の重なり部分３６の全てが上部透水孔３１全部又は下部透水孔３３全部と完全に一致することがなくなるため好ましい。
【００２３】
本発明においては、孔の重なり部分３６の総面積を、上部孔空板３２又は下部孔空板３４のうち総孔面積の小さい方の孔空板の総孔面積の６７％以下、好ましくは５〜４０％とすることが望ましい。ここで、孔の重なり部分３６の総面積とは、例えば、図４に示す孔の重なり部分３６ａ、３６ｂ、３６ｃ等の孔の重なり部分全部の合計値を意味する。また、総孔面積とは、上部孔空板３２における上部透水孔３１の合計面積又は下部孔空板３４における下部透水孔３３の合計面積である。本発明では、上部透水孔３１の合計面積又は下部透水孔３３の合計面積の小さい方の孔空板の総孔面積に対する孔の重なり部分３６の総面積の比率を上記範囲内にすると、水を滞留部３５に十分に滞留させることができるため、水分配部３０から分散性よく水を流下させることができるため好ましい。
【００２４】
散水管４０は、水分配部３０の上部孔空板３２に散水孔から水を供給するものであり、水を供給できるものであれば形状等は特に限定されないが、通常は、図６に示すように筒状体４１に散水孔４２が穿設されたものが用いられる。また、散水孔４２の形状や配置は、流下する水の水量や散水する範囲により適宜定めればよく特に限定されるものでないが、例えば、図６（ａ）のように筒状体４１の表面に一列に散水孔４２ａを穿設したものや、図６（ｂ）のように筒状体４１の表面に散水孔４２ｂの一列と散水孔４２ｃの一列とを、散水孔４２ｂと散水孔４２ｃとが互い違いに並ぶように穿設したものが挙げられる。本発明において散水孔は一定のピッチで穿設されていることが好ましい。散水孔のピッチは、散水管内部の水の流量や、流下する水量により適宜選択すればよく、特に限定されるものではないが、通常１０〜７０mmである。また、散水孔の大きさもピッチと同様の理由で特に限定されるものではないが、通常１〜５mmである。
【００２５】
なお、図１に示す実施形態においては、水分配部３０を構成する枠体５０が、散水管４０を囲うことができるように上方まで延設され且つ下部孔空板３４より下部まで延設されているが、枠体５０の上限は滞留部３５を形成できるように少なくとも上部孔空板３２と面一であればよく、枠体５０の下限は滞留部３５を形成できるように少なくとも下部孔空板３４と面一であればよい。なお、枠体５０の上限が上部孔空板３２の上面よりも上部まで延設されていると、散水管４０から流下される水が多い場合でも枠体５０の上限の壁部５１でせき止められるため、散水管４０から流下される水の流量変化に影響されず水分配部３０から略一定の流量で水を流下できるため好ましい。また、水分配部３０は、枠体５０、上部孔空板３２及び下部孔空板３４からなるユニットを予め作製しておき、これを単独で又は散水管４０と共に他の筐体に収納することにより散水装置２を形成してもよい。また、散水装置２は、水量調整が可能なものであることが好ましい。
【００２６】
次に、本発明に係る散水装置の作用について、図７及び図８を参照して説明する。図７は本発明の散水装置を用いた気液接触装置を模式的に示す斜視図であり、図８は図７においてＡ−Ａ線で切断した断面を模式的に示す断面図である。図７〜図８中、１は気液接触装置、３は斜行ハニカム、４は受水パン、１０１は斜行ハニカム上面開口部、１０２は斜行ハニカム後面開口部、１０３は斜行ハニカム前面開口部、１０４は斜行ハニカム下面開口部である。また、図７及び図８中、図１〜図６と同一構成要素には同一符号を付してその説明を省略し、異なる点についてのみ主に説明する。
【００２７】
まず、水１６が散水装置２の散水管４０に供給され、散水管４０の散水孔４２から水分配板３０を構成する上部孔空板３２上に供給水１７が流下される。供給水１７は、上部孔空板３２上に広がって滞留すると共に上部透水孔３１を通過して滞留部３５全体を満たし、流下水１２が下部孔空板３４の下部透水孔３３の各孔から略均一な流量で広範囲に分散して流下し、気液接触装置１の気液接触手段である斜行ハニカム３の上面開口部１０１等に供給される。
【００２８】
本発明に係る散水装置は、例えば、オフィスビル、病院、生産工場の空気や水の冷却装置、空気清浄装置、加湿装置等の気液接触装置の散水手段として使用することができる。このうち、気液接触装置が気液接触手段として斜行ハニカムを用いるものであると、区画されたセルが広範囲にわたり存在する斜行ハニカムの上面開口部に略均一に水を供給できるため好ましい。ここで、斜行ハニカムとは、図７中、符号３で示されるような形態のハニカム状体である。
【００２９】
【実施例】
次に、実施例を挙げて本発明をさらに具体的に説明するが、本発明はこれに限定されるものではない。
【００３０】
実施例１
長さ１０２０mm×幅２００mm×厚さ１．０mmのステンレス板に、直径１mmの孔を、図５（ｂ）に示すように３１ｅ−３１ｆ方向、３１ｆ−３１ｇ方向及び３１ｇ−３１ｅ方向の３方向のピッチがそれぞれ２mmになるように千鳥状に穿設して上部孔空板を作製した。また、直径及びピッチを表１に示すようにした以外は上部孔空板と同様にして、下部透水孔が千鳥状に形成された下部孔空板を作製した。次に、４面が壁面で囲われると共に上下方向の２面が開放した壁の高さ８０mm×長さ１０２５mm×幅２０２mmの枠体の底部に、上部孔空板と下部孔空板とを平行に且つ０．５mm離間させて２枚配置し、上部孔空板及び下部孔空板と枠体との間に隙間が生じないように固定して水分配部を形成した。なお、水分配部は、上部孔空板の隅部に穿設された上部透水孔３１ｅと、これに対応する下部孔空板の隅部に穿設された下部透水孔とが、上部孔空板の上方から見て孔の中心が一致し、且つ、枠体の壁部が上部孔空板の上方及び下部孔空板の下方まで延設されるように配置したものである。さらに、上部孔空板の上方に、直径２mm、ピッチ４０mmで一列に穿設された散水孔を有する直径２５mm、長さ１０５０mmの散水管を、散水管が上部孔空板の長手方向と平行且つ幅方向の中心に位置し、さらに、散水孔と上部孔空板との距離が３０mmになるように配置して、高さ８０mm×長さ１０２５mm×幅２０２mmの散水装置を作製した。得られた散水装置を用い、散水管に２３．５リットル／分の流量で水を流して上部透水孔に水を供給し、水分配部を通過して下部透水孔から流下する水の分散状況を目視で評価した。結果を表１に示す。
【００３１】
実施例２〜２５
上部透水孔又は下部透水孔を表１のように穿設した以外は実施例１と同様にして散水装置を作製し、流下する水の分散状況を目視で評価した。結果を表１に示す。
【００３２】
比較例１
下部孔空板を取り付けない以外は実施例１と同様にして散水装置を作製し、流下する水の分散状況を目視で評価した。結果を表１に示す。
【００３３】
比較例２〜５
表１に示す上部孔空板を用いた以外は比較例１と同様にして散水装置を作製し、流下する水の分散状況を目視で評価した。結果を表１に示す。
【００３４】
【表１】
0003848896.tif 000002
【００３５】
【発明の効果】
本発明に係る散水装置を用いると、上部孔空板表面に水が滞留するため、下部透水孔全体から略均一に水を流下させることができる。
【図面の簡単な説明】
【図１】本発明の散水装置の実施形態を模式的に示す斜視図である。
【図２】水分配部の一部を切り欠いて模式的に示す斜視図である。
【図３】水分配部の一部を拡大して模式的に示す斜視図である。
【図４】水分配部の一部を上部孔空板側から見た模式的な平面図である。
【図５】上部透水孔の配列態様を説明する図である。
【図６】本発明で用いられる散水管の一例を示す斜視図である。
【図７】本発明の散水装置を用いた気液接触装置を模式的に示す斜視図である。
【図８】図７においてＡ−Ａ線で切断した断面を模式的に示す断面図である。
【符号の説明】
１      気液接触装置
２      散水装置
３      斜交ハニカム
４      受水パン（受水部）
１２      流下水
１６      水
１７      供給水
３０      水分配部
３１      上部透水孔
３２      上部孔空板
３３      下部透水孔
３４      下部孔空板
３５      滞留部
３６、３６ａ、３６ｂ、３６ｃ      孔の重なり部分
４０      散水管
４１      筒状体
４２ａ、４２ｂ、４２ｃ      散水孔
５０      枠体
５１      壁面
１０１      斜行ハニカム上面開口部
１０２      斜行ハニカム後面開口部
１０３      斜行ハニカム前面開口部
１０４      斜行ハニカム下面開口部
【図１】
0003848896.tif 000003
【図２】
0003848896.tif 000004
【図３】
0003848896.tif 000005
【図４】
0003848896.tif 000006
【図５】
0003848896.tif 000007
【図６】
0003848896.tif 000008
【図７】
0003848896.tif 000009
【図８】
0003848896.tif 000010